(57)【要約】【課題】プライバシー保護、利便性向上。【解決手段】少なくとも１つ以上の情報を表示する表示手段を備えた携帯端末において、前記携帯端末の状況を物理量として検出する少なくとも１つの状況検出手段と、前記状況検出手段の状況検出手段に応じて前記表示手段の視野角を変更する視野角変更手段あるいは、前記表示手段の光量を制御する表示制御手段あるいは、呼出音又は操作音、音声、音楽を発する少なくとも１つの音出力手段あるいは、前記表示手段の文字フォントを変更する表示フォント変更手段あるいは、利用者に情報を知らせるために装置を振動させる振動手段とを有する携帯端末。【選択図】        図１
2005012297.tif 000002
【特許請求の範囲】
【請求項１】
少なくとも１つ以上の情報を表示する表示手段を備えた携帯端末において、
前記携帯端末の状況を物理量として検出する少なくとも１つの状況検出手段と、
前記状況検出手段の状況検出結果に応じて前記表示手段の視野角を制御する視野角制御手段とを有する携帯端末。
【請求項２】
少なくとも１つ以上の情報を表示する表示手段を備えた携帯端末において、
前記携帯端末の状況を物理量として検出する少なくとも１つの状況検出手段と、
前記状況検出手段の状況検出結果に応じて前記表示手段の光量や発色を制御する表示制御手段とを有する携帯端末。
【請求項３】
少なくとも１つ以上の情報を表示する表示手段を備えた携帯端末において、
前記携帯端末の状況を物理量として検出する少なくとも１つの状況検出手段と、
呼出音又は操作音、音声、音楽を発する少なくとも１つの音出力手段と、
前記状況検出手段の状況検出結果に応じて前記音出力手段の種類又は音量とを制御する音制御手段とを有する携帯端末。
【請求項４】
少なくとも１つ以上の情報を表示する表示手段を備えた携帯端末において、
前記携帯端末の状況を物理量として検出する少なくとも１つの状況検出手段と、
前記状況検出手段の状況検出結果に応じて前記表示手段の文字フォントの種類又は大きさを変更する表示フォント変更手段とを有する携帯機器。
【請求項５】
少なくとも１つ以上の情報を表示する表示手段を備えた携帯端末において、
前記携帯端末の状況を物理量として検出する少なくとも１つの状況検出手段と、
前記利用者に情報を知らせるために装置を振動させる振動手段と、
前記状況検出手段の状況検出結果に応じて前記振動手段を制御する振動制御手段とを有する携帯端末。
【請求項６】
請求項１〜５において、
前記状況検出手段は前記携帯端末の前面と背面の一方又は両方に設けられた光センサであることを特徴とする携帯端末。
【請求項７】
請求項１〜５において、
前記状況検出手段は前記携帯端末の前面と背面の一方又は両方に設けられた赤外線発光装置及び赤外線センサであることを特徴とする携帯端末。
【請求項８】
請求項１〜５において、
前記状況検出手段は前記携帯端末の前面と背面の一方又は両方に設けられた撮像素子であることを特徴とする携帯端末。
【請求項９】
請求項１〜５において、
前記状況検出手段は角速度センサであることを特徴とする携帯端末。
【請求項１０】
請求項１〜５において、
前記状況検出手段は加速度センサであることを特徴とする携帯端末。
【請求項１１】
請求項１において、
前記視野角表示手段は前記表示手段の前面にレンズを具備しレンズの位置あるいはレンズの結像範囲により視野角を制限することを特徴とする携帯端末。
【請求項１２】
請求項１において、
前記視野角表示手段は前記表示手段の周囲に表示画面より照度の高い発光体を設けることを特徴とする携帯端末。
【請求項１３】
請求項１１において、
前記発光体は表示画面の内側に光線が漏れないように光遮蔽が施されていることを特徴とする携帯端末。
【請求項１４】
請求項１１において、
前記発光体は携帯端末に内蔵されていることを特徴とする携帯端末。
【請求項１５】
請求項１１において、
前記発光体は携帯端末から取り外しできることを特徴とする携帯端末。
【請求項１６】
請求項２において、
前記表示制御手段は前記表示画面の光量を増減あるいは無くすことを特徴とする携帯端末。
【請求項１７】
請求項２において、
前記表示制御手段は前記表示手段の色相又は彩度を変更することを特徴とする携帯端末。
【請求項１８】
請求項５において、
前記振動制御手段は前記振動手段の振動の大きさを変更あるいは振動を停止することを特徴とする携帯端末。
【請求項１９】
請求項５において、
前記振動制御手段は前記振動手段の振動パターンを変更することを特徴とする携帯端末。
【発明の詳細な説明】
【０００１】
【発明の属する技術分野】
本発明は情報処理又は通信を行う携帯端末に関し、操作部と表示画面とを具備する携帯端末に関する。
【０００２】
【従来の技術】
近年の情報又は通信を行う携帯端末は、表示画面のサイズの拡大化が進んでいる。また、平面ＣＲＴや視野角の拡大された液晶表示装置の普及に伴う表示画面の視認可能角度の拡大が進んでいる。また、カラー表示できる表示画面が普及している。
【０００３】
また、着信音の種類や音量を可変できる音出力を具備した、あるいは着信バイブレーションを具備した携帯電話やＰＨＳが普及している。
【０００４】
また、ディスプレイの視野角をマニュアルで切り換えることも、提案されている（特開平９−２８８２８０）。
【０００５】
【発明が解決しようとする課題】
しかしながら、表示画面のサイズの拡大化や視野角の拡大化さらにカラー表示画面の普及に伴い、携帯端末の利用者の周囲に位置する者が携帯端末の表示画面を視認することが容易になった。携帯端末の利用者の周囲に位置する者が携帯端末の表示画面を視認することが容易になると、携帯端末で秘密性の高い情報処理又は通信を行うことが難しく、またプライバシーを守ることが難しくなった。
【０００６】
また、音出力や着信バイブレーションを具備した携帯電話やＰＨＳの普及に伴い、一部の施設において着信音の規制がなされるようになり、音出力をＯＮ／ＯＦＦと切り替える必要が生じるようになった。しかし手作業での音出力のＯＮ／ＯＦＦ切り替えは手間がかかり煩雑である。
【０００７】
本発明はこのような事情を鑑みてなされたものであり、携帯端末において、携帯所持時のプライバシーを保護し、また、携帯所持時と机上放置時とで各々に適した利用環境を提供することを目的とする。
【０００８】
【課題を解決するための手段】
本発明にかかる第１の発明は、携帯端末の状況を物理量として検出する少なくとも１つの状況検出手段と、前記状況検出手段の状況検出結果に応じて前記表示手段の視野角を変更する視野角変更手段とを有する携帯端末を提供する。
【０００９】
また、本発明にかかる第２の発明は、携帯端末の状況を物理量として検出する少なくとも１つの状況検出手段と、前記状況検出手段の状況検出結果に応じて前記表示手段の光量や発色を制御する表示制御手段とを有する携帯端末を提供する。
【００１０】
また、本発明にかかる第３の発明は、携帯端末の状況を物理量として検出する少なくとも１つの状況検出手段と、通信／通話にかかる呼出音又は音声、操作にかかる操作音、音楽を発するための少なくとも１つの音出力手段と、前記状況検出手段の状況検出結果に応じて前記音出力手段の種類又は音量とを制御する音制御手段とを有する携帯端末を提供する。
【００１１】
また、本発明にかかる第４の発明は、携帯端末の状況を物理量として検出する少なくとも１つの状況検出手段と、前記状況検出手段の状況検出結果に応じて前記表示手段に表示されている文字フォントの種類又は大きさを変更する表示フォント変更手段とを有する携帯機器を提供する。
【００１２】
また、本発明にかかる第５の発明は、携帯端末の状況を物理量として検出する少なくとも１つの状況検出手段と、前記利用者に通信／通話又は操作にかかる情報を知らせるために装置を振動させる振動手段と、前記状況検出手段の状況検出手段に応じて前記振動手段を制御する振動制御手段とを有する携帯機器を提供する。
【００１３】
ここで、本発明にかかる第１〜第５の発明において、携帯端末の状況を物理量として検出する状況検出手段としては、前記携帯端末の前面と背面の一方又は両方に光センサを設けて、前記光センサの反応に基づいて携帯端末の状況を検出する。
【００１４】
また、前記状況検出手段として、前記携帯端末の前面と背面の一方又は両方に赤外線発光装置と赤外線センサを設けて、前記赤外線発光装置より発光された赤外線に対する前記赤外線センサの反応に基づいて携帯端末の状況を検出しても良い。
【００１５】
また、前記状況検出手段として、前記携帯端末の前面と背面の一方又は両方に撮像素子を設けて、前記撮像素子から得られる画像の時間的変化に基づいて携帯端末の状況を検出しても良い。
【００１６】
また、前記状況検出手段として、角速度センサを設けて、前記角速度センサから得られる前記携帯端末の回転状況に基づいて携帯端末の状況を検出しても良い。
【００１７】
また、前記状況検出手段として、加速度センサを設けて、前記加速度センサから得られる前記携帯端末の振動状況に基づいて携帯端末の状況を検出しても良い。
【００１８】
さらに、本発明にかかる第１の発明において、前記状況検出手段の状況検出結果に応じて前記表示手段の視野角を変更する視野角変更手段としては、前記表示手段の前面にレンズを設けて、レンズの位置により変化する前記レンズの結像範囲により視野角を制御する。
【００１９】
また、前記視野角制御手段として、前記表示手段の周囲に表示手段より照度の高い発光体を設けて、前記発光体の発光中はまぶしさのために表示手段を視認することができなくしても良い。
【００２０】
また、前記発光体の発光により利用者本人が前記表示手段を視認できなくなることを防ぐため、前記発光体の表示手段側に遮光物を設けて、表示手段の鉛直上向き方向から前記発光体の発光が見えなくしても良い。
【００２１】
また、前記発光体は、いつでも用いることができるように前記携帯端末に内蔵してもよく、前記携帯端末の携帯性を向上させるために必要時のみ前記発光体を用いることができるよう前記発光体を前記携帯端末から取り外しできるようにしても良い。
【００２２】
また、前記視野角制御手段として、特開平９−２８８２８０で開示されているように、表示手段の前面に光路の屈折率を制御可能なフィルタを設けることで表示手段の視野角を変更しても良い。
【００２３】
また、前記視野角制御手段として、特開平９−１０５９０７で開示されているように、視野角調整用液晶分子と二色性色素分子の配向を制御することで表示手段の視野角を変更しても良い。
【００２４】
また、前記視野角制御手段として、特開平６−５９２８７で開示されているように、光学素子における光の散乱度合いを可変させて、表示手段の視野角を変更させても良い。
【００２５】
また、前記視野角制御手段として、特開平９−１３８３９３で開示されているように、表示手段の前面にレンズを設けて、さらに圧力印加素子をレンズの周囲に設けて、前記圧力印加素子よりレンズに曲げ応力を付与することでレンズ曲率を変更し、表示手段の視野角を変更しても良い。
【００２６】
さらに、本発明にかかる第１の発明において、前記表示手段の光量や発色を制御する表示制御手段としては、前記状況検出手段の検出結果に応じて前記表示画面の光量を減少あるいは無くし、容易に表示手段を視認できなくする。
【００２７】
また、前記表示制御手段として、前記状況検出手段の検出結果に応じて前記表示画面の色相を特定の範囲に制限することで、容易に表示手段を視認できなくしてもよい。
【００２８】
また、前記表示制御手段として、前記状況検出手段の検出結果に応じて前記表示画面の彩度を極端に高くしたり逆に極端に下げたりすることで、容易に表示手段を視認できなくしてもよい。
【００２９】
さらに、本発明にかかる第５の発明において、前記振動手段を制御する振動制御手段としては、前記状況検出手段の検出結果に応じて前記振動手段の大きさを増減あるいは振動パターンを変更あるいは振動を停止することで、例えば前記携帯端末が机上に放置されている場合などにおける、前記携帯端末が振動することに起因する騒音を軽減してもよい。
【００３０】
【発明の実施の形態】
以下、本発明を図示の実施の形態に基づいて詳細に説明する。
【００３１】
（第１の実施形態）
図１は本発明の実施の形態にかかる携帯端末１００の概念図である。
【００３２】
携帯端末１００は、通信／通話にかかる呼出音又は音声、操作にかかる操作音、音楽を発するためスピーカ１０１、１０７、情報を表示するための表示画面１０２、携帯端末１００の状況を検出するための光センサ１０３、操作部１０４、通話にかかるマイク１０５を具備する。
【００３３】
図２は本発明の実施の形態にかかる携帯端末１００に具備された表示手段や検知手段を示すブロック図であり、図１に示した表示手段や操作手段を有した構造のものを想定している。前記携帯端末１００は携帯端末１００の状況を検出するためのセンサ部１１１とさまざまな情報を演算するマイコン等１１０、情報を入力するための操作手段１２６とを具備する。センサ部１１１には光センサ１１２が設けられてあり、センサ部１１１の設けられた側面の光量を検出する。前記マイコン等１１０は前記センサ部１１１からの検知信号を受信し、また操作手段１２６からの入力に基づいて情報処理を行い、また前記視野角変更手段１１８を制御する。前記センサ部１１１より所定の反応をマイコン等１１０が検出すると、視野角変更手段１１８を用いて表示画面１０２の視野角を変更する。後述する第２の実施形態及至第５の実施形態では、センサ部１１１として撮像素子１１５、又は角速度センサ１１６、加速度センサ１１７、赤外線発光装置１１３と赤外線センサ１１４を用いる。
【００３４】
図３は光センサ１１２の概念図である。光センサはフォトダイオードを想定しており、ダイオードからなる受光部３０１と遮光材からなる外壁３０２、前記受光部３０１と前記マイコン１１０とを接続する接続端子３０３から構成される。受光部３０１に入射した光量に基づいて接続端子３０３に電圧や電流を発生させる。
【００３５】
また、特開平９−１０５９０７公報や特開平６−５９２８７公報、特開平９−２８８２８０公報には視野角変更手段１１８に応用できる視野角変更技術が開示されている。
【００３６】
図４は特開平９−１０５９０７公報に開示されている視野角変更手段の概念図である。特開平９−１０５９０７公報に開示されている技術は、バックライトユニット４０３から液晶表示パネル４０１への光の散乱度合いを光学素子４０２にて制御するものである。図４（ａ）は光学素子４０２への駆動電圧を所定値にしてその光散乱を全くない状態を表している。このようにした場合、バックライトユニット３００からの光はそのまま光学素子４０２を通過して、図中θ１の広がりを有して液晶表示パネル４０１を通過するので、視野角を狭くしつつこの視野角変更手段を低消費電力で駆動させることができる。図４（ｂ）はバックライトユニット４０３への電力供給を大きくすることによってその輝度を強め、同時に、光学素子４０２への駆動電圧を前記所定値よりも低くしてその光散乱を高くしている状態を表している。このようにした場合、バックライトユニット４０３からの光は光学素子４０２によって拡散され、図中θ２の広がりを有して液晶表示パネル４０１を通過するので、視野角を広くできる。
【００３７】
図５は特開平６−５９２８７公報に開示されている視野角変更手段の概念図である。特開平６−５９２８７公報に開示されている技術は、表示用液晶セル５００に入射する光の進行方向を細長い形状を有する色素分子を含有したゲスト・ホスト液晶セル５０３を用いて制御するものである。表示用液晶セル５０３の外側にはアナライザ５０１およびポーラライザ５０２が取り付けられている。ゲスト・ホスト液晶セル５０３は、透明電極５０４を対向させて配置した時に２枚の透明基板５０５間に挟持される液晶材料と、透明電極１４間に接続された電圧印加手段５０６から構成されている。また、液晶材料は液晶分子５０７と二色性色素分子５０８とからなっている。図５（ａ）は電圧印加手段５０６より透明電極５０４に電圧を印加せずに液晶分子５０７と二色性色素分子５０８の光軸（長軸）を透明基板５０５の表面にほぼ平行にした状態を表している。このようにした場合、液晶分子５０７と二色性色素分子５０８の光軸を液晶表示に用いるアナライザ５０１とポーラライザ５０２等の偏光板の光軸と一致させることにより、偏光板を通過した光はそのままゲスト・ホスト液晶セル５０３を通過するので、視野角を広くできる。図５（ｂ）は電圧印加手段５０６より透明電極５０４に電圧を印加して液晶分子５０７と二色性色素分子５０８を立ち上げた状態を表している。このようにした場合、二色性色素分子５０８の光軸以外の光軸を有する光は二色性色素分子５０８に吸収されてゲスト・ホスト液晶セル５０３を通過しないので、視野角を狭くできる。
【００３８】
図６は特開平９−２８８２８０公報に開示されている視野角変更手段の概念図である。特開平９−２８８２８０公報に開示されている技術は、液晶ディスプレイ６０２において、表示画面上に光路の屈折率を制御可能なフィルタ６０１を備え、このフィルタ６０１を制御装置６０４により制御することで視野角を変化させるものである。液晶ディスプレイの光源としてバックライト６０３を設ける。
【００３９】
次に、上記構成の装置にかかる動作の詳細を説明する。
【００４０】
携帯端末１００の操作部１０４よりセンサ部１０３、１０６からの光検知の結果に応じて表示画面１０２の視野角を制御する命令が入力された場合の動作について図７に示すフローチャートに従って説明する。
【００４１】
まず、操作部１０４より視野角を制御する命令が入力されると、携帯端末１００の表面にあるセンサ部１０３からの光量を検知する。（ステップ＃７０１）
次に携帯端末１００の裏面にある１０６からの光量を検知する。（ステップ＃７０２）
ステップ＃７０３で、もし携帯端末１００の表面の光センサ１０３に所定値以上の光を検知しかつ裏面の光センサ１０６に所定値以上の光を検知しなかったかどうか判断する。
【００４２】
ステップ＃７０３で、もし携帯端末１００の表面の光センサ１０３に所定値以上の光を検知しかつ裏面の光センサ１０６に所定値以上の光を検知しなかった場合は、表示画面１０２を所定の第１の視野角範囲に制御する第１のモードに設定する。（ステップ＃７０４）
ステップ＃７０３で、もし携帯端末１００の表面の光センサ１０３に所定値以上の光を検知しかつ裏面の光センサ１０６に所定値以上の光を検知しなかった場合以外の場合は、表示画面１０２を前記第１の視野角範囲より角度の狭い所定の第２の視野角範囲に制御する第２のモードに設定する。（ステップ＃７０５）
以上の動作を実施することで、携帯端末１００が表示画面１０２を上にして机上などに置かれているときとそうでない時とで、携帯端末１００の表面にある光センサ１０３で検知した光量と裏面にある光センサ１０６で検知した光量とに基づいて、表示画面１０２の視野角を変更することができ、携帯端末１００が利用者に携帯されている場合に表示画面１０２に表示されているプライバシー情報を安易に他人に見られなくすることができる。
【００４３】
（変形例）
ステップ＃７０４、＃７０５において、前記第１の視野角範囲より第２の視野角範囲の角度を広くしても良い。
【００４４】
こうすることで、利用者が携帯端末１００を携帯しているときは表示画面１０２の視野角を広げて友人とともに表示画面１０２を閲覧することができ、携帯端末１００が机上等にあるときは表示画面１０２の視野角を狭めて容易に他人に閲覧されないようにすることができる。
【００４５】
また、表示画面１０２の周囲に表示画面１０２より光量の大きい不図示の発光体を設けて、光センサ１０６で検知した光量に基づいて、前記発光体の光量を変更しても良い。
【００４６】
この構成においても上記と同様の効果が得られる。
【００４７】
また、表示画面１０２と前記発光体の間に不図示の光遮蔽を設けて、前記発光体の発光により利用者が表示画面１０２を視認しづらくないようにしても良い。
【００４８】
また、表示画面１０２の上面にレンズ光学系を設けて、レンズ光学系を制御することにより表示画面１０２の視野角を制御しても良い。以下、視野角変更手段としてレンズ光学系を設けてこれを制御することにより表示画面１０２の視野角を変更した場合の実施例について説明する。
【００４９】
図１９は視野角変更手段として設けられたレンズ光学系の概念図である。図１９（ａ）は前記レンズ光学系の断面図で、図１９（ｂ）は前記レンズ光学系の斜視図である。図１９（ａ）において、筐体１９０６に所定の焦点距離を持つレンズ１９０９とこのレンズ支持体１９０８が設けられており、リードスクリュー１９０２とガイドレール１９０４がレンズ支持体１９０８から伸びている。リードスクリュー１９０２とガイドレール１９０７にはそれぞれメスネジ軸受１９０３と滑り軸受１９０４により表示画面１９０５が係合されており、ステッピングモーター１９０１のスイッチ１９１０がＯＮになると、ステッピングモーター１９０１に電流が流れてリードスクリュー１９０２が回転し、メスネジ軸受１９０３により係合されている表示画面１９０５が図中矢印の方向へ移動する。表示画面１９０５の移動方向は、ステッピングモーター１９０１の回転方向をスイッチ１９１０により制御される。
【００５０】
図２０は視野角変更手段として設けられたレンズ光学系のブロック図である。マイコン等２００１がスイッチ２０００の状態を検出し、その検出結果に応じてステッピングモーター２００２に電流を所定の向きに流し、ステッピングモーター２００２の回転を制御する。
【００５１】
ステッピングモーター１９０１の制御方法を図２１を用いて説明する。図２１に表されたステッピングモーター１９０１の動作を示すグラフは、リードスクリュー１９０２上の位置を表す座標を所定の基準点を原点としてレンズ１９０９側に近づくにつれて座標値が大きくなるようにとっている。表示画面１９０５を所定のｘ２まで移動させる場合におけるステッピングモーター１９０１の動作は、はじめに点Ａに示されたリードスクリュー１９０２上の任意の位置ｘ１に位置している表示画面１９０５の座標をいったん所定の基準点に戻すため、ステッピングモーター側へ移動させる。このときステッピングモーターの制御にバックラッシが生じるため、表示画面１９０５は直接基準点で停止するのではなく点Ｂに示された基準点よりさらにステッピングモーター１９０１側まで移動させた後に、所定のｘ２に向かう方向に表示画面１９０５を移動させて、基準点まで制御する。表示画面１９０５は基準点で止まることなく点Ｃに示された目的位置ｘ２まで移動される。
【００５２】
以上のように、表示画面１０２の上面にレンズ光学系を設けてこれを制御することにより、携帯端末１００の状況に応じて表示画面１０２の視野角を制御することができる。
【００５３】
（第２の実施形態）
上記実施の第１の実施例では、状況検出手段として光センサを用いて携帯端末１００の状況に応じて表示画面１０２の視野角を制御していたが、これに限らず、以下のように状況検出手段として赤外線発光装置と赤外線受光装置とを設けて携帯端末１００の状況に応じて表示画面１０２の光量あるいは発色を制御しても良い。以下、状況検出手段に赤外線発光装置と赤外線受光装置とを設けて、状況検出手段の反応に応じて表示画面１０２の光量あるいは発色を制御した場合の実施例について説明する。
【００５４】
図８は本発明の第２の実施の形態にかかる携帯端末１００の概念図である。状況検出手段として赤外線受光装置１３０、１３１及び赤外線発光装置１３２、１３３が設けられている。携帯端末１００において表示画面１０２が設けられている側面（以下、表面と省略。）に設けられた赤外線受光装置１３０は、この赤外線受光装置と同じ側面に設けられた赤外線発光装置１３２から発光された赤外線あるいは外光に含まれる赤外線を受光するために設けられている。同様に、スピーカ１０７と同じ側面（以下、裏面と省略。）に設けられた赤外線受光装置１３３は、この赤外線受光装置と同じ側面に設けられた赤外線発光装置１３１から発光された赤外線あるいは外光に含まれる赤外線を受光するために設けられている。前記赤外線受光装置１３０、１３１と前記赤外線発光装置１３２、１３３以外の本発明の携帯端末１００における表示構成や検知構成は前記第１の実施形態と同様であるものとする。
【００５５】
携帯端末１００の操作部１０４よりセンサ部１３２、１３３からの赤外線検出に応じて表示画面１０２の光量を制御する命令が入力された場合の動作について図９に示すフローチャートに従って説明する。
【００５６】
まず、操作部１０４より表示画面１０２の光量を制御する命令が入力されると、携帯端末１００の表面にある赤外線受光装置１３０に所定値以上の赤外線を受光しているかどうかを検知する。（ステップ＃９０１）
次に、携帯端末１００の裏面にある赤外線受光装置１３１に所定値以上の赤外線を受光しているかどうかを検知する。（ステップ＃９０２）
ステップ＃９０３で、もし前記赤外線受光装置１３０に所定値以上の赤外線を検知しかつ前記赤外線受光装置１３１に所定値以上の赤外線を検知しなかったかどうかを判断する。
【００５７】
ステップ＃９０３で、もし前記赤外線受光装置１３０に所定値以上の赤外線を検知しかつ前記赤外線受光装置１３１に所定値以上の赤外線を検知しなかった場合は、表示画面１０２を所定の第１の光量に設定する。（ステップ＃９０４）
ステップ＃９０３で、もし前記赤外線受光装置１３０に所定値以上の赤外線を検知しかつ前記赤外線受光装置１３１に所定値以上の赤外線を検知しなかった場合以外の場合は、表示画面１０２を前記１の光量より光量の小さい所定の第２の光量に設定する。（ステップ＃９０５）
以上の操作を実施することで、携帯端末１００が表示画面１０２を上にして机上などに置かれているときとそうでない時とで、携帯端末１００の表面にある赤外線検知装置１３０で検知した赤外線の受光量と裏面にある赤外線検知装置１３１で検知した赤外線の受光量とに基づいて、表示画面１０２の光量を制御することができ、携帯端末１００が利用者に携帯されている場合に表示画面１０２に表示されているプライバシー情報を安易に他人に見られなくすることができる。
【００５８】
（変形例）
ステップ＃９０４、＃９０５において、前記第１の光量より前記第２の光量を大きくしても良い。
【００５９】
こうすることで、利用者が携帯端末１００を携帯しているときは表示画面１０２の光量を大きくして友人とともに表示画面１０２を閲覧することができ、携帯端末が机上等にあるときは表示画面１０２の光量を小さくして容易に他人に閲覧されないようにすることができる。
【００６０】
また、ステップ＃９０４及びステップ＃９０５において、表示画面１０２の表示を所定の第１及び第２の光量に制御する代わりに、ステップ＃９０４において表示画面１０２の表示を所定の第１の色相範囲に制御し、かつステップ＃９０５において表示画面１０２の表示を第１の色相範囲より狭い所定の第２の色相範囲に制御しても良い。
【００６１】
以上の操作を実施することで、携帯端末１００が表示画面１０２を上にして机上などに置かれているときとそうでない時とで、携帯端末１００の表面にある赤外線検知装置１３０で検知した赤外線の受光量と裏面にある赤外線検知装置１３１で検知した赤外線の受光量とに基づいて、表示画面１０２の色相を制御することができ、携帯端末１００が利用者に携帯されている場合に表示画面１０２に表示されているプライバシー情報の色相を狭くして安易に他人に見られなくすることができる。
【００６２】
また、上記において、前記第１の色相範囲より前記第２の色相範囲を広くしても良い。
【００６３】
こうすることで、利用者が携帯端末１００を携帯しているときは表示画面１０２の色相範囲を広くして友人とともに表示画面１０２を閲覧しやすくすることができ、携帯端末が机上等にあるときは表示画面１０２の色相範囲を狭くして容易に他人に閲覧されないようにすることができる。
【００６４】
また、ステップ＃９０４及びステップ＃９０５において、表示画面１０２の表示を所定の第１及び第２の光量に制御する代わりに、ステップ＃９０４において表示画面１０２の表示を所定の第１の彩度領域に制御し、かつステップ＃９０５において表示画面１０２の表示を第１の彩度領域より狭い所定の第２の彩度領域に制御しても良い。
【００６５】
こうすることで、携帯端末１００が利用者に携帯されている場合に表示画面１０２に表示されているプライバシー情報を安易に他人に見られなくすることができる。
【００６６】
また、上記において、前記第１の彩度領域より前記第２の彩度領域を広くしても良い。
【００６７】
こうすることで、利用者が携帯端末１００を携帯しているときは表示画面１０２の彩度領域を広くして友人とともに表示画面１０２を閲覧しやすくすることができ、携帯端末１００が机上等にあるときは表示画面１０２の彩度領域を狭くして容易に他人に閲覧されないようにすることができる。
【００６８】
（第３の実施形態）
上記実施の第２の実施例では、状況検出手段として赤外線発光装置１３０、１３１と赤外線受光装置１３２、１３３とを設けて携帯端末１００の状況に応じて表示画面１０２の光量あるいは発色を制御していたが、これに限らず、以下のように状況検出手段として撮像素子を設けて携帯端末１００の状況に応じてスピーカ１０１、１０７から発する音を制御しても良い。以下、状況検出手段として撮像素子を設けて携帯端末１００の状況に応じてスピーカ１０１、１０７から発する音を制御した場合の実施例について説明する。
【００６９】
図１０は本発明の第３の実施の形態にかかる携帯端末１００の概念図である。状況検出手段として携帯端末１００の状況を検知するための撮像装置１００１、１００２が設けられている。前記撮像装置１００１、１００２以外の本発明の携帯端末１００における表示構成や検知構成は前記第１の実施形態と同様であるものとする。
【００７０】
携帯端末１００の操作部１０４より撮像素子１００１、１００２からの光量を検知し、その検知結果に応じてスピーカ１０１、１０７から発する音の音量を制御する命令が入力された場合の動作について図１１に示すフローチャートに従って説明する。
【００７１】
まず、操作部１０４よりスピーカの音量を制御する命令が入力されると、携帯端末１００の表面にある撮像素子１００１からの光量を検知する。（ステップ＃１１０１）
次に携帯端末１００の裏面にある撮像素子１００２からの光量を検知する。（ステップ＃１１０２）
ステップ＃１１０３で、もし携帯端末１００の表面にある撮像素子１００１に所定値以上を検知しかつ裏面にある撮像素子１００２に所定値以上の光量を検知しなかったかどうかを判断する。
【００７２】
ステップ＃１１０３で、もし携帯端末１００の表面にある撮像素子１００１に所定値以上を検知しかつ裏面にある撮像素子１００２に所定値以上の光量を検知しなかった場合は、スピーカ１０１又は１０７から発する音の音量を所定の第１の音量に制御する。（ステップ＃１１０４）
ステップ＃１１０３で、もし携帯端末１００の表面にある撮像素子１００１に所定値以上を検知しかつ裏面にある撮像素子１００２に所定値以上の光量を検知しなかった場合以外の場合は、スピーカ１０１又は１０７から発する音の音量を前記第１の音量よりも小さい所定の第２の音量に制御する。（ステップ＃１１０５）
以上の動作を実施することで、携帯端末１００が表示画面１０２を上にして机上などに置かれているときとそうでない時とで、携帯端末１００の表面にある撮像素子１００１で検知した光量と裏面にある撮像素子１００２で検知した光量とに基づいて、スピーカ１０１又は１０７から発する音の音量を変更することができ、携帯端末１００が利用者に携帯されている場合における呼出音や受話音を小さくすることで、着信や通話内容を他人に知られないようにすることができる。
【００７３】
（変形例）
ステップ＃１００４、＃１００５において、前記第１の音量より第２の音量を大きくしても良い。
【００７４】
こうすることで、利用者が携帯端末１００を携帯しているときは周囲の友人にも呼出音や受話音を伝えることができ、携帯端末が机上等にあるときは呼出音や受話音を小さくすることで、着信や通話内容を容易に他人に知られないようにすることができる。
【００７５】
（第４の実施形態）
上記実施の第３の実施例では、状況検出手段として撮像素子を設けて携帯端末１００の状況に応じてスピーカ１０１、１０７から発する音を制御していたが、これに限らず、以下のように状況検出手段として角速度センサを設けて携帯端末１００の状況に応じて表示画面１０２の文字フォントの大きさを変更しても良い。以下、状況検出手段として角速度センサを設けて携帯端末１００の状況に応じて表示画面１０２の文字フォントの大きさを変更した場合の実施例について説明する。
【００７６】
図１２は本発明の第４の実施の形態にかかる携帯端末１００の概念図である。本発明の携帯端末１００における表示構成や検知構成は、状況検出手段として光センサ１０３に代えて設けられた角速度センサ１３００が携帯端末１００に内蔵されている以外、前記第１の実施形態と同様であるものとする。
【００７７】
図１３は、携帯端末１００に内蔵されている角速度センサ１３００の斜視図である。１３０２は内部に後述の浮体１３０３と液体１３０４を封入した室を持つ外筒である。１３０３は軸１３０３ａに回転自在に後述の浮体保持体１３０５により保持された浮体である。１３０７はコの字型状のヨークで、浮体１３０３とともに閉磁路を形成している。１３０９は受ける光の位置によって出力の変化する受光素子（ＰＳＤ）である。これら発光素子１３０８及び受光素子１３０９が不図示である上記浮体１３０３の突起（反射面）を介して光を伝送する方式の光学的な角変位検出の手段を構成している。
【００７８】
携帯端末１００の操作部１０４より角速度センサ１３００からの携帯端末１００の回転を検知した結果に応じて表示画面１０２に表示されている文字フォントの大きさを制御する命令が入力された場合の動作について図１４に示すフローチャートに従って説明する。
【００７９】
まず、操作部１０４より文字フォントの大きさを制御する命令が入力されると、携帯端末１００に内蔵されている角速度センサ１３００からの角速度を検知する。（ステップ＃１４０１）
ステップ＃１４０２で、もし携帯端末１００に内蔵されている角速度センサ１３００に所定値以上の角速度を検知したかどうかを判断する。
【００８０】
ステップ＃１４０２で、もし携帯端末１００に内蔵されている角速度センサ１３００に所定値以上の角速度を検知したと判断した場合は、表示画面１０２に表示される文字フォントの大きさを第１の文字フォントの大きさに設定する。（ステップ＃１４０３）
ステップ＃１４０２で、もし携帯端末１００に内蔵されている角速度センサ１３００に所定値以上の角速度を検知したと判断されなかった場合は、表示画面１０２に表示される文字フォントの大きさを前記第１の文字フォントの大きさより大きい所定の第２の文字フォントに設定する。（ステップ＃１４０４）
以上の動作を実施することで、携帯端末１００が利用者に携帯されていて移動中である時とそうでない時とで、携帯端末１００に内蔵されている角速度センサ１３００で検知した携帯端末１００の角速度に基づいて、表示画面１０２に表示されている文字フォントの大きさを変更することができ、携帯端末１００が利用者に携帯されている場合に表示画面１０２に表示されているプライバシー情報を安易に他人に見られなくすることができる。
【００８１】
（変形例）
ステップ＃１４０３、＃１４０４において、前記第１の文字フォントの大きさより前記第２の文字フォントの大きさを小さくしても良い。
【００８２】
こうすることで、利用者が携帯端末１００を携帯しているときは表示画面１０２の文字フォントを大きくして友人とともに表示画面１０２を閲覧することができ、携帯端末が机上等にあるときは表示画面１０２の文字フォントを小さくして容易に他人に閲覧されないようにすることができる。
【００８３】
また、ステップ＃１４０３において表示画面１０２に表示される文字の大きさを制御する代わりに文字フォントの種類を第１の文字フォントの種類に変更し、かつ＃１４０４において前記第１の文字フォントの種類より視認性の悪い所定の第２の文字フォントの種類に変更しても良い。
【００８４】
こうすることで、携帯端末１００が利用者に携帯されている場合に表示画面１０２に表示されているプライバシー情報を安易に他人に見られなくすることができる。
【００８５】
また、ステップ＃１４０３、＃１４０４において、前記第１の文字フォントの種類を前記第２の文字フォントの種類より視認性を良くしても良い。
【００８６】
こうすることで、利用者が携帯端末１００を携帯しているときは表示画面１０２の文字フォントの種類を見やすい種類にして友人とともに表示画面１０２を閲覧することができ、携帯端末１００が机上等にあるときは表示画面１０２の文字フォントの種類を視認性の悪いものにして容易に他人に閲覧されないようにすることができる。
【００８７】
（第５の実施例）
上記実施の第４の実施例では、状況検出手段として角速度センサ１３００を用いて携帯端末１００の状況に応じて表示画面１０２に表示される文字フォントの大きさを制御していたが、これに限らず、以下のように状況検出手段としての加速度センサと携帯端末１００に内蔵された呼出用振動手段を設けて携帯端末１００の状況に応じて前記呼出用振動手段の振動パターンを制御しても良い。以下、状況検出手段として加速度センサを設けて携帯端末１００の状況に応じて携帯端末１００に内蔵された不図示の呼出用振動手段の振動パターンを制御した場合の実施例について説明する。
【００８８】
図１５は本発明の第５の実施の形態にかかる携帯端末１００の概念図である。本発明の携帯端末１００における表示構成や検知構成は、状況検出手段として光センサ１０３に代えて設けられた加速度センサ１６００が携帯端末１００に内蔵されていることと、呼出用振動手段として振動アクチュエータが携帯端末１００に内蔵されていること以外、前記第１の実施形態と同様であるものとする。
【００８９】
図１６は、携帯端末１００に内蔵されている加速度センサ１３００の概念図である。外壁１６０５の中に圧電素子１６０４とこの電気接点１６０３が設けられており、外壁１６０５の外部に存在する接続端子１６０６と導線にて繋がれている。圧電素子１６０４の電気接点１６０３には隣接しておもり１６０２が設けられており、圧縮ばね１６０１により外壁１６０５に固定されている。おもり１６０２に図中の矢印の方向へ加速度が加わると、おもり１６０２に加速度の大きさに比例した力が働く。この力が圧電素子１６０４に伝わることで、圧電素子には加えられた力に応じた電圧が生じる。したがって、圧電素子１６０４に接続された接続端子１６０６にかかる電圧を検出することで、加速度センサにかかる加速度を検出することができる。
【００９０】
図１７は特開平０５−３０５２７０で開示されている振動アクチュエータ１７００の概念図である。特開平０５−３０５２７０公報に開示されている技術は、平板状振動子１７０１を軸１７０２を設けて回転自在に支持し、その振動体の一部に永久磁石１７０３を固着しさらに復元用バネ１７０４を装着し、一方この永久磁石１７０３部分に対して空隙を介しバイファイラー巻き発振コイル１７０５を対向配置固定し、コイルの一方に交番周波数を入力し、これによる永久磁石１７０３の反発振動作用の感知を他方のコイルで検出して交番周波数の発生回路に負帰還させることを特徴とした振動アクチュエータ１７００であり、バイファイラー巻き発振コイル１７０５を、振動体の外周対向部分に配置と振動体の面対向部分とに配置されている。コイルの一方に交番周波数を入力することで平板状振動子が振動し、携帯端末１００を振動させる。
【００９１】
携帯端末１００の操作部１０４より加速度センサ１６００からの携帯端末１００にかかる加速度を検知した結果に応じて振動パターンを制御する命令が入力された場合の動作について図１８に示すフローチャートに従って説明する。
まず、操作部１０４より振動パターンを制御する命令が入力されると、携帯端末１００の移動により生じる加速度を加速度センサ１３００で検知する。（ステップ＃１８０）
ステップ＃１８０２で、加速度センサ１３００に所定値以上の加速度を検知したかどうか判断する。
【００９２】
ステップ＃１８０２で、もし加速度センサ１３００に所定値以上の加速度を検知した場合は、振動アクチュエータ１７００で用いる振動パターンを所定の第１の振動パターンに設定する。（ステップ＃１８０３）
ステップ＃１８０２で、もし加速度センサ１３００に所定値以上の加速度を検知しなかった場合は、振動アクチュエータ１７００で用いる振動パターンを第１の振動パターンより振動時間の短い所定の第２の振動パターンに設定する。（ステップ＃１８０４）
以上の動作を実施することで、携帯端末１００が表示画面１０２を机上などに置かれているときとそうでない時とで、携帯端末１００に内蔵された加速度センサで検知した加速度の値に基づいて、振動アクチュエータ１７００の振動パターンを変更することができ、携帯端末１００が机上などに置かれている場合に振動アクチュエータ１７００の振動と携帯端末１００の置かれている物体とが共鳴して生じる耳障りな騒音を低減することができる。
【００９３】
（変形例）
ステップ＃１８０３、＃１８０４において、前記第１の振動パターンより前記第２の振動パターンの振動時間を長くしても良い。
【００９４】
こうすることで、利用者が携帯端末１００を携帯しているときは振動時間の短い振動パターンを用いて利用者の周囲の人に振動を気付かれにくくすることができ、携帯端末１００が机上等にあるときは振動アクチュエータ１７００の振動と携帯端末１００の置かれている物体とが共鳴して生じる耳障りな騒音を発生させて利用者に振動を気付かせやすくすることができる。
【００９５】
また、ステップ＃１８０３、＃１８０４において、振動アクチュエータ１７００の振動パターンを変更する代わりに振動の大きさを変更しても同様の効果が得られる。
【００９６】
【発明の効果】
以上説明したように、本発明によれば、携帯端末において、携帯所持時のプライバシーを保護し、また、携帯所持時と机上放置時とで各々に適した利用環境を提供することができる。
【図面の簡単な説明】
【図１】本発明の実施の形態にかかる携帯端末の概念図である。
【図２】本発明の実施の形態にかかる携帯端末に具備された表示手段や検知手段を示すブロック図である。
【図３】本発明の第１の実施形態にかかる携帯端末に具備された光センサの概念図である。
【図４】特開平９−１０５９０７公報に開示されている視野角変更手段の概念図である。
【図５】特開平６−５９２８７公報に開示されている視野角変更手段の概念図である。
【図６】特開平９−２８８２８０公報に開示されている視野角変更手段の概念図である。
【図７】本発明の第１の実施形態にかかる視野角を制御する動作を示すフローチャートである。
【図８】本発明の第２の実施の形態にかかる携帯端末１００の概念図である。
【図９】本発明の第２の実施形態にかかる表示画面の光量を制御する動作を示すフローチャートである。
【図１０】本発明の第３の実施の形態にかかる携帯端末１００の概念図である。
【図１１】本発明の第３の実施の形態にかかる音を制御する動作を示すフローチャートである。
【図１２】本発明の第４の実施の形態にかかる携帯端末１００の概念図である。
【図１３】本発明の第４の実施の形態にかかる携帯端末１００に内蔵されている角速度センサの斜視図である。
【図１４】本発明の第４の実施の形態にかかる文字フォントの大きさを制御する動作を示すフローチャートである。
【図１５】本発明の第５の実施の形態にかかる携帯端末の概念図である。
【図１６】本発明の第５の実施の形態にかかる携帯端末に内蔵されている加速度センサの概念図である。
【図１７】本発明の第５の実施の形態にかかる携帯端末に内蔵されている振動アクチュエータの概念図である。
【図１８】本発明の第５の実施の形態にかかる振動パターンを制御する動作を示すフローチャートである。
【図１９】本発明の第５の実施の形態にかかるレンズ光学系の概念図である。
【図２０】本発明の第５の実施の形態にかかるレンズ光学系のブロック図である。
【図２１】本発明の第５の実施の形態にかかるステッピングモーターの動作を説明する概念図である。
【符号の説明】
１００  携帯端末
１０１、１０７  スピーカ
１０２  表示画面
１０３、１０６  センサ
１０４  操作部
１０５  マイク
３０１  フォトダイオードの受光部
３０２  フォトダイオードの外壁
３０３  フォトダイオードの接続端子
４０１  液晶表示パネル
４０２  光学素子
４０３  バックライトユニット
５００  表示用液晶セル
５０１  アナライザ
５０２  ポーラライザ
５０３  ゲスト・ホスト液晶セル
５０４  透明電極
５０５  透明基板
５０６  電圧印加手段
５０７  液晶分子
５０８  二色性色素分子
６０１  フィルタ
６０２  液晶ディスプレイ
６０３  バックライト
６０４  制御装置
１６００  加速度センサ
１６０１  圧縮ばね
１６０２  おもり
１６０３  電気接点
１６０４  圧電素子
１６０５  外壁
１６０６  接続端子
１７００  振動アクチュエータ
１７０１  平板状振動子
１７０２  軸
１７０３  永久磁石
１７０４  復元用コイルバネ
１７０５  バイファイラー巻き発信コイル
【図１】
2005012297.tif 000003
【図２】
2005012297.tif 000004
【図３】
2005012297.tif 000005
【図４】
2005012297.tif 000006
【図５】
2005012297.tif 000007
【図６】
2005012297.tif 000008
【図７】
2005012297.tif 000009
【図８】
2005012297.tif 000010
【図９】
2005012297.tif 000011
【図１０】
2005012297.tif 000012
【図１１】
2005012297.tif 000013
【図１２】
2005012297.tif 000014
【図１３】
2005012297.tif 000015
【図１４】
2005012297.tif 000016
【図１５】
2005012297.tif 000017
【図１６】
2005012297.tif 000018
【図１７】
2005012297.tif 000019
【図１８】
2005012297.tif 000020
【図１９】
2005012297.tif 000021
【図２０】
2005012297.tif 000022
【図２１】
2005012297.tif 000023